(57)【要約】【課題】翼間を通過する主流が乱されることなく吹出されるため、乱流騒音が低減できる。【解決手段】主板１０１と、シュラウド１０２と、翼１０３で構成される遠心ファン１００を備えており、翼１０３は翼１０３の前縁１１３と後縁１２３で構成される翼面と回転軸との距離が小さい側の負圧面１４３を形成し負圧面１４３に孔１１０が設けられている。これによって、遠心ファン１００から吹出された流体の一部は孔１１０から吹出されるが、主流９００と吐出流９１０の速度差によって、主流９００が翼面側に吸引され、主流９００が翼後縁１２３方向に翼１０３を沿うように吹出されるため、乱流騒音が低減できる。【選択図】図１
2017129069.tif 000002
【特許請求の範囲】
【請求項１】
一端が開口した略中空円錐台形状を有する主板と、
前記主板に対向配置される略中空円錐台形状のシュラウドと、
前記主板と前記シュラウドとの間に配置され、ある所定の肉厚を有する中空の翼と、
を有する遠心ファンにおいて、
前記翼は前記翼の前縁と後縁で構成される翼面と回転軸との距離が小さい側の負圧面を形成し、
前記負圧面に孔を設けたことを特徴とする、遠心ファン。
【請求項２】
前記孔を覆う前記翼後縁側が開口されたガイダーを有する、
請求項１に記載の遠心ファン。
【発明の詳細な説明】
【技術分野】
【０００１】
本発明は、空気調和機の室内機などに幅広く用いられる遠心ファンを備えた送風装置に関するものである。
【背景技術】
【０００２】
従来、この種の遠心ファンは、主板と、シュラウドと、翼と、で構成されており、前記翼の前縁に段差面を備えた不連続な形状とするとともに、前記段差面を回転軸線に垂直な面に対して所定の傾斜角をもつ傾斜面を有している。（例えば、特許文献１参照）
図６は前記公報に記載された従来遠心ファンの回転軸方向の断面図を示すものである。図６に示すように、主板１０１と、主板１０１に対向配置され略中空円錐台形状のシュラウド１０２と、主板１０１とシュラウド１０２との間に配置される翼１０３と、を有する遠心ファン１００で構成され、翼前縁１１３に段差面２１０を備えた不連続な形状とするとともに、段差面２１０を回転軸１５０に垂直な面に対して所定の傾斜角をもつ傾斜面２２０を有している。
【先行技術文献】
【特許文献】
【０００３】
【特許文献１】特開２００１−１５３０９４号公報
【発明の概要】
【発明が解決しようとする課題】
【０００４】
しかしながら、前記従来の構成では、ファンモータの所定の回転に伴い、シュラウド１０２の小径側開口部から吸込まれた流体（以下、主流９００と呼ぶ）が、傾斜面２２０への衝突によって、その流れが乱され、翼前縁１１３から翼後縁１２３に向かうに従って次第に成長する縦渦９２０が生成されることで、主流９００の有効流路が低下し、縦渦９２０と主流９００が混合した際に主流９００が乱されるため、反って乱流騒音が増大する課題を有していた。
【０００５】
本発明は、前記従来の課題を解決するもので、翼の負圧面に生ずる流体の乱れを低減し、乱流騒音が低下する送風装置を提供することを目的とする。
【課題を解決するための手段】
【０００６】
前記従来の課題を解決するために、本発明の遠心ファンは、主板と、シュラウドと、翼と、で構成されており、ある所定の肉厚を有する中空の翼と、前記翼は前記翼の前縁と後縁で構成される翼面と回転軸との距離が小さい側の負圧面を形成し、前記負圧面に孔が設けられている。
【０００７】
これによって、前記遠心ファンを所定の回転方向に回転させると、前記翼の昇圧作用によって、前記シュラウド小径側開口部から吸込まれた流体は、前記遠心ファンの回転軸方向の断面で見たときに、前記流体が前記シュラウドと前記主板で形成される略並行な２円弧の流体流路で曲げられ前記翼と前記翼の間を通過（以下、主流と呼ぶ）し、略遠心方向に吹出される。
【０００８】
前記遠心ファンから吹出された流体の一部は前記翼の前記中空部の流体流路を通過し、前記孔から吹出される（以下、吐出流と呼ぶ）。ここで、速度の異なる流体同士が合流する場合、速度の大きい流体が速度の小さい流体側へ吸引されるため、前記主流と前記吐出流の速度差によって、前記主流が前記吐出流側へ即ち前記翼面側に吸引され、前記主流が
前記翼後縁方向に前記翼面を沿うように吹出される。
【０００９】
また、本発明の送風装置は、前記孔を覆う前記翼後縁側が開口されたガイダーを有している。
【００１０】
前記遠心ファンの動作点が高静圧・低風量では、前記遠心ファンの回転軸に対して垂直方向の断面で見た場合に、遠心方向の速度成分が低下するため、前記翼に流入する流体の流入角が本来の動作点よりも小さくなり、前記負圧面側を通過する流体の剥離点が前記翼前縁側に移動するため、流体の乱れ成分が大きくなる。
【００１１】
このような動作点の場合、前記ガイダーが前記吐出流の吐出方向を前記翼後縁方向にガイドすることで、前記吐出流の吐出角度が前記翼後縁方向となり、更に前記吐出流の速度を小さくするため、前記主流と前記吐出流の速度差が一層大きくなり前記主流が前記翼面に吸引され前記翼面を前記翼後縁方向に沿うように送風される。
【発明の効果】
【００１２】
本発明の送風装置は、前記翼面上を前記翼後縁方向に沿うように送風されるため、乱流騒音が低減できる。
【図面の簡単な説明】
【００１３】
【図１】本発明の実施の形態１に係る遠心ファンの一例を示すシュラウド小径開口部側斜視図
【図２】本発明の実施の形態１に係る遠心ファンの一例を示す回転軸に対し垂直方向翼断面図
【図３】本発明の実施の形態１に係る遠心ファンの一例を示す回転軸方向翼断面図
【図４】本発明の実施の形態１に係る遠心ファンの一例を示す斜視図
【図５】本発明の実施の形態２に係る遠心ファンの一例を示す回転軸に対し垂直方向翼断面図
【図６】従来技術１記載の遠心ファンの一例を示す回転軸方向翼断面図
【発明を実施するための形態】
【００１４】
第１の発明は、ファンモータの回転シャフト軸と連結されており前記ファンモータを格納するための一端が開口した略中空円錐台形状を有する主板と、前記主板に対向配置される略中空円錐台形状のシュラウドと、前記主板と前記シュラウドとの間に配置され、ある所定の肉厚を有する中空の翼と、前記翼は前記翼の前縁と後縁で構成される翼面と回転軸との距離が小さい側の負圧面を形成し前記負圧面に孔が設けられている。
【００１５】
前記遠心ファンを所定の回転方向に回転させると、前記翼の昇圧作用によって、前記シュラウド小径側開口部から吸込まれた流体は、前記遠心ファンの回転軸方向の断面で見たときに、前記流体が前記シュラウドと前記主板で形成される略並行な２円弧の流体流路で曲げられ前記翼と前記翼の間を通過（以下、主流と呼ぶ）し、略遠心方向に吹出される。
【００１６】
ここで、前記遠心ファンから吹出された流体の一部は前記翼の前記中空部の流体流路を通過し、前記孔から吹出される（以下、吐出流と呼ぶ）。速度の異なる流体同士が合流する場合、速度の大きい流体が速度の小さい流体側へ吸引されるため、前記主流と前記吐出流の速度差によって、前記主流が前記吐出流側へ即ち前記翼面側に吸引され、前記主流が前記翼後縁方向に前記翼面を沿うように吹出される。
【００１７】
これによって、前記翼面上を前記翼後縁方向に沿うように送風されるため、乱流騒音が低減できる。
【００１８】
第２の発明は、特に第１の発明の前記孔を、前記孔を覆う前記翼後縁側が開口されたガイダーを有している。
【００１９】
前記遠心ファンの動作点が高静圧・低風量では、前記遠心ファンの回転軸に対して垂直方向の断面で見た場合に、遠心方向の速度成分が低下するため、前記翼に流入する流体の流入角が本来の動作点よりも小さくなり、前記負圧面側を通過する流体の剥離点が前記翼前縁側に移動するため、流体の乱れ成分が大きくなる。
【００２０】
このような動作点の場合、前記ガイダーが前記吐出流の吐出方向を前記翼後縁方向にガイドすることで、前記吐出流の吐出角度が前記翼後縁方向となり、更に前記吐出流の速度を小さくするため、前記主流と前記吐出流の速度差が一層大きくなり前記主流が前記翼面に吸引され前記翼面を前記翼後縁方向に沿うように送風される。
【００２１】
前記遠心ファンの動作点が、高静圧・低風量の場合、前記遠心ファンの回転軸に対して垂直方向の断面で見た場合に、遠心方向の速度成分が低下するため、流入角が本来の動作点よりも小さくなり前記翼と前記翼の間の乱れのスケールが増加傾向となるが、本発明において、前記主流が乱されることなく前記翼面に吸引されるため、乱流騒音が低減できる。
【００２２】
乱流騒音の低減によって、遠心ファンのコンパクト化と遠心ファンの壁面上の圧力変動を低減できるため、遠心ファンの動バランスが良化され、空気調和機の室内機に搭載した場合に周辺部品との距離が小さくでき、結果、室内機がコンパクト化できる。
【００２３】
以下、本発明の各実施形態について、送風装置を図面に基づき説明する。なお、以下に説明する各実施形態は一例であり、本発明は各実施形態により限定されるものではない。
【００２４】
（実施の形態１）
図１は本発明の実施の形態１に係る遠心ファンの一例を示すシュラウド小径開口部側斜視図を示し、図２は本発明の実施の形態１に係る遠心ファンの一例を示す回転軸に対し垂直方向翼断面図を示し、図３は本発明の実施の形態１に係る遠心ファンの一例を示す回転軸方向翼断面図を示し、図４は本発明の実施の形態１に係る遠心ファンの一例を示す斜視図を示すものである。
【００２５】
第１の発明は、ファンモータの回転シャフト軸と連結されておりファンモータを格納するための一端が開口した略中空円錐台形状を有する主板１０１と、主板１０１に対向配置される略中空円錐台形状のシュラウド１０２と、主板１０１とシュラウド１０２との間に配置され、ある所定の肉厚を有する中空の翼１０３と、翼１０３は翼１０３の前縁１１３と後縁１２３で構成される翼面と回転軸との距離が小さい側の負圧面１４３を形成し負圧面１４３に孔１１０が設けられている。
【００２６】
遠心ファン１００を所定の回転方向Ｒに回転させると、翼１０３の昇圧作用によって、シュラウド１０２の小径側開口部から吸込まれた流体は、遠心ファン１００の回転軸方向の断面で見たときに、流体がシュラウド１０２と主板１０１で形成される略並行な２円弧の流体流路で曲げられ翼１０３と翼１０３の間を通過（以下、主流９００と呼ぶ）し、略遠心方向に吹出される。
【００２７】
遠心ファン１００から吹出された流体の一部は翼１０３の前記中空部の流体流路１３３を通過し、孔１１０から吹出される（以下、吐出流９１０と呼ぶ）。ここで、速度の異なる流体同士が合流する場合、速度の大きい流体が速度の小さい流体側へ吸引されるため、
主流９００と吐出流９１０の速度差によって、主流９００が吐出流９１０方向、すなわち翼面側に吸引され、主流９００が翼後縁１２３方向に翼１０３を沿うように吹出される。
【００２８】
これによって、翼１０３面上を翼後縁１２３方向に沿うように送風されるため、乱流騒音が低減できる。
【００２９】
（実施の形態２）
図５は本発明の実施の形態２に係る遠心ファンの一例を示す回転軸に対し垂直方向翼断面図を示すものである。全体の構成は、図１および図２、図３に示すものと同様であり、同一構成要素には同一符号を付し、その説明を省略する。
【００３０】
特に第１の発明の孔１１０を、孔１１０を覆う翼後縁側が開口されたガイダー２１１を有している。
【００３１】
遠心ファン１００を所定の回転方向Ｒに回転させると、翼１０３の昇圧作用によって、シュラウド１０２の小径側開口部から吸込まれた流体は、遠心ファン１００の回転軸方向の断面で見たときに、流体がシュラウド１０２と主板１０１で形成される略並行な２円弧の流体流路で曲げられ翼１０３と翼１０３の間を通過（以下、主流９００と呼ぶ）し、略遠心方向に吹出される。
【００３２】
遠心ファン１００から吹出された流体の一部は翼１０３の前記中空部の流体流路を通過し、孔１１０から吹出される（以下、吐出流９１０と呼ぶ）。遠心ファン１００の動作点が高静圧・低風量では、遠心ファン１００の回転軸１５０に対して垂直方向の断面で見た場合に、遠心方向の速度成分が低下するため、翼１０３に流入する流体の流入角が本来の動作点よりも小さくなり、負圧面１４３を通過する流体の剥離点が翼前縁１１３に移動するため、流体の乱れ成分が大きくなる。
【００３３】
このような動作点の場合、ガイダー２１１が吐出流９１０の吐出方向を翼後縁１２３にガイドすることで、吐出流９１０の吐出角度が翼後縁１２３方向となり、更に吐出流９１０の速度を小さくするため、主流９００と吐出流９１０の速度差が一層大きくなり主流９００が翼１０３に吸引され翼１０３を翼後縁１２３方向に沿うように送風される。
【００３４】
これによって、遠心ファン１００の動作点が、高静圧・低風量の場合、主流９００が乱されることなく翼１０３に吸引されるため、乱流騒音が低減できる。
【００３５】
乱流騒音の低減によって、遠心ファン１００のコンパクト化と遠心ファン１００の翼面上の圧力変動を低減できるため、遠心ファン１００の動バランスが良化され、空気調和機の室内機に搭載した場合に周辺部品との距離が小さくでき、結果、空気調和機の室内機がコンパクト化できる。
【産業上の利用可能性】
【００３６】
以上のように、本発明に係る送風装置の乱流騒音低減が可能となるので、家庭用及び業務用の各種形式の空気調和機の室内機に適用することができる。
【符号の説明】
【００３７】
１００  遠心ファン
１０１  主板
１０２  シュラウド
１０３  翼
１１０  孔
１１３  翼前縁
１２３  翼後縁
１３３  流体流路
１４３  負圧面
１５０  回転軸
２１０  段差面
２１１  ガイダー
９００  主流
９１０  吐出流
９２０  縦渦
【図１】
2017129069.tif 000003
【図２】
2017129069.tif 000004
【図３】
2017129069.tif 000005
【図４】
2017129069.tif 000006
【図５】
2017129069.tif 000007
【図６】
2017129069.tif 000008